(57)【要約】【課題】  衛生的な石材パネルを用い、加熱システム及び床面のメンテナンスの容易な岩盤浴装置を提供する。【解決手段】  フレーム１に断熱パネル２を嵌合止着して台座Ａを構成し、台座Ａの平坦上面Ｓ１の外周に、縦枠材３ａと横枠材３ｂとから成る上面枠Ｆ３を固定し、上面枠Ｆ３内で台座上面Ｓ１上に熱源４を載置し、熱源４を覆う形態で、金属板５を上面枠Ｆ３上に着脱可能に止着し、金属板５上の両側縁に外枠６を着脱自在に止着して着座域Ｚを形成し、該着座域Ｚに複数枚の珪藻土タイル８を載置し、珪藻土タイル８の取り剥がし、外枠６の取り外し及び金属板５の取り外しを可能とした岩盤浴装置。【選択図】    図１
2009095445.tif 000002
【特許請求の範囲】
【請求項１】
断熱パネル（２）を上面に敷設した台座（Ａ）の上面（Ｓ１）の外周に、縦枠材（３ａ）と横枠材（３ｂ）とから成る上面枠（Ｆ３）を固定し、上面枠（Ｆ３）内で台座上面（Ｓ１）上に熱源（４）を載置し、熱源（４）を覆う形態で金属板（５）を上面枠（Ｆ３）上に着脱可能に止着し、金属板（５）上の両側縁に外枠（６）を着脱自在に止着して着座域（Ｚ）を形成し、該着座域（Ｚ）に複数枚の珪藻土タイル（８）を載置付設した岩盤浴装置。
【請求項２】
着座域（Ｚ）では、縦横列に複数の珪藻土タイル（８）を隙間無く敷設すると共に、コーナー部には、防水性、弾性に優れたダミータイル（Ｄ８）を敷設した、請求項１の岩盤浴装置。
【請求項３】
ダミータイル（Ｄ８）は、外側角隅に手掛用の切欠（Ｃｄ）を備えている、請求項２の岩盤浴装置。
【請求項４】
珪藻土タイル（８）は、薄金属板から成る箱体（７ａ）と板体（７ｂ）とで、軽量、且つ剛性を備えたコア板（７ｃ）を内封した補強板（７）の上面に、珪藻土タイル板（８ａ）を層着した、請求項１乃至３のいずれか１項の岩盤浴装置。
【請求項５】
補強板（７）の上面と、珪藻土タイル板（８ａ）下面とをブチルゴム固着剤で弾性接着した、請求項４の岩盤浴装置。
【請求項６】
珪藻土タイル（８）は、大きさが１５０〜２１０mm正方形であり、重さが１〜１．５kgである、請求項１乃至５のいずれか１項の岩盤浴装置。
【請求項７】
断熱パネル（２）は、木材の周側板（２ａ，２ｂ）、上蓋板（２ｃ）、下蓋板（２ｄ）で箱型パネルに形成し、箱型パネル内に合成樹脂を注入発泡させた、請求項１乃至６のいずれか１項の岩盤浴装置。
【発明の詳細な説明】
【技術分野】
【０００１】
本発明は、遠赤外線によって発汗作用を促進させる岩盤浴装置に関するものである。
【背景技術】
【０００２】
古くから、病気や怪我の療養として、温泉、地熱等で温められた鉱石の上に身体を横たえて鉱石から放出される遠赤外線を体内に取込み、全身を温めて治療することが行われており、近年、温泉地まで行かずに、手軽に岩盤浴が出来る、各種岩盤浴装置が提案されている。
図７は、特許文献１として挙げた従来例１の岩盤浴装置であって、図７（Ａ）は岩盤浴装置の構造断面図であり、図７（Ｂ）は温水配管図である。
【０００３】
即ち、従来例１（図７）にあっては、図７（Ａ）に示す如く、最下層の５０mm厚の保温断熱材層の上に、１５０mm厚のコンクリート層を配置し、コンクリート層上面に、図７（Ｂ）に示す如く、温水ゴム管を配置して、温水ゴム管をモルタル保温層で固め、モルタル保温層の上に、砂利と炭との混合層を配置し、ボイラーからの温水を配管内に循環させて、適温に保った砂利、炭混合層上に、Ｔシャツ、浴衣等を着用した状態で身体を横たえて温浴するものである。
【０００４】
図８は、特許文献２として挙げた従来例２の岩盤浴装置であって、図８（Ａ）は岩盤浴用床の平面図、図８（Ｂ）は、岩盤浴用の天照石板ユニットの斜視図、図８（Ｃ）は、天照石板ユニットの製作説明図である。
即ち、従来例２（図８）は、図８（Ｃ）に示す如く、底型枠と四周の側型枠とで形成した型枠内に天照石板を配置し、竹炭片や天照石粉破砕片を混入したコンクリートモルタルを型内に流し込んで製造した、図８（Ｂ）に示す天照石板ユニットを、図８（Ａ）に示す如く、加熱手段を備えた枠体内に配置敷設し、身体を天照石板ユニット面上に横たえて岩盤浴するものである。
【特許文献１】特開２００１−０９５８８９号公報
【特許文献２】特開２００６−３３４２５８号公報
【発明の開示】
【発明が解決しようとする課題】
【０００５】
従来例１（図７）の岩盤浴にあっては、身体から発生する汗や汚れ、雑菌などが、敷き詰めた砂利、炭片に付着するため、衛生面からも、砂利、炭片の混合層を、頻繁に取り換えたり、浄化する必要があるが、砂利、炭混合層の取り換え浄化は、煩雑、且つ労力の要する作業である。
また、岩盤浴者の着用衣も、砂利、炭片混合層の付着で汚れるため、衛生面からも、着心地の面からも、岩盤浴の都度、着衣も用意する必要がある。
【０００６】
また、従来例２（図８）の岩盤浴にあっては、身体を横たえる浴床が、コンクリートモルタルで固められた天照石板ユニットであるため、着衣に砂等の付着することは無いが、炭片はコンクリートモルタル内に閉じ込められているため吸水作用は期待出来ず、発汗により天照石板ユニット面が濡れ汚れて不衛生となるため、使用毎に、洗浄して乾燥させておく必要があり、岩盤浴用床の維持管理が煩雑である。
本発明は、これら従来例の問題点を、一挙に解決、又は改善するものであって、岩盤浴床が、常時衛生的な状態と出来、且つ補修メンテナンスにも優れた岩盤浴装置を提供するものである。
【課題を解決するための手段】
【０００７】
本発明は、例えば図１に示す如く、断熱パネル２を上面に敷設した台座Ａの上面Ｓ１の外周に、縦枠材３ａと横枠材３ｂとから成る上面枠Ｆ３を固定し、上面枠Ｆ３内で台座上面Ｓ１上に熱源４を載置し、熱源４を覆う形態で金属板５を上面枠Ｆ３上に着脱可能に止着し、金属板５上の両側縁に外枠６を着脱自在に止着して着座域Ｚを形成し、該着座域Ｚに複数枚の珪藻土タイル８を載置付設した岩盤浴装置である。
【０００８】
この場合、台座Ａは、岩盤浴床のベースを構成するものであり、脚無し床形態であっても、脚を備えた床形態でも良く、典型的には、図２に示す如く、縦材１ａと横材１ｂとで枠組みし、脚１Ｐを付設してフレーム１を構成し、該フレーム１の枠組み内に断熱パネル２を嵌合固定して、断熱パネル２の上面を載置台とするテーブル形態である。
また、熱源４は、上面を覆う金属板５を所定温度に加熱維持出来れば良く、典型的には、サーモスタットを備えた面ヒーターである。
【０００９】
尚、珪藻土タイル板は、珪藻土を焼成した多孔質で、比重が０．５と小さくて強度が小さいため、岩盤浴の如き、大きな面荷重の負荷される用途には利用出来ず、その優れた調湿機能（吸水、放湿機能）を利用して、住宅の内装壁材に広く使われており、岩盤浴用に使用するためには、調湿機能を損なうことなく、強度を大とする必要がある。
そのため、本発明の「珪藻土タイル」は、珪藻土タイル板に、剛性板材を裏打ちしたものを意味し、典型的には、図５に示す如く、剛性の木板を金属箱体に封入した補強板７を珪藻土タイル板８ａの裏面に層着したものである。
【００１０】
従って、本発明の岩盤浴装置にあっては、珪藻土タイル８が吸放湿機能を備えているため、床面が、利用者の発汗によって濡れても、多孔質のタイルが吸水し、且つ放湿するため、乾燥状態への早期の復元が可能であり、岩盤浴床面は、利用者が温浴する度に吸水、放湿して反復乾燥状態となるため、カビの発生も抑制出来て、衛生的で利用者が不快感無く反復利用出来る。
【００１１】
そして、珪藻土タイル８は、複数枚の着座域Ｚへの載置であるため、大きさ及び重さを適切に決定（標準：２１０m平方、１．５kg）することにより、交換作業、洗浄作業等のメンテナンスの容易な岩盤浴床を提供する。
しかも、金属板５の側縁を抑えている外枠６が着脱可能であり、金属板５も着脱可能であるため、必要に応じて、金属板５を取り外すことにより、熱源４のメンテナンスも容易となり、本発明の岩盤浴装置は、衛生面、機能面での最善の状態の維持管理が、簡単な作業によって容易に出来る。
【００１２】
また、本発明の岩盤浴装置にあっては、例えば、図６に示す如く、着座域Ｚでは、縦横列に複数の珪藻土タイル８を隙間無く敷設すると共に、コーナー部には、防水性、弾性に優れたダミータイルＤ８を敷設するのが好ましい。
この場合、ダミータイルＤ８は、珪藻土タイル８と質感の近似の合成樹脂製品、ゴム製品等で形成するのが好ましく、典型的には、珪藻土タイル８と同サイズの架橋発泡ポリエチレン樹脂板であり、架橋発泡ポリエチレン板製のダミータイルＤ８は、その変形性によって人手による取り外しが容易である。
尚、ダミータイルＤ８の配置コーナー部は、図６（Ｂ）に示す如く、使用者に影響の生じない足の外側、又は頭の外側等の全部又は一部で良い。
【００１３】
従って、遠赤外線の岩盤浴機能を最大限に発揮させるように、珪藻土タイル８相互を隙間無く敷設したために、タイル８相互は、単に載置状態であるに関わらず、据置いたままで動かないが、コーナー部のダミータイルＤ８は、変形しやすい弾性材質であるため、手で剥がすことが出来、ダミータイルＤ８を剥がすことにより、各珪藻土タイル８は順次取り剥がせ、珪藻土タイル８群の隙間の無い敷設、及び取り剥がし作業が、ダミータイルＤ８の存在によって容易となる。
【００１４】
また、ダミータイルＤ８は、図１（Ｂ）に示す如く、外側角隅に手掛用の切欠Ｃｄを備えているのが好ましい。
この場合、切欠Ｃｄは、手の指先が掛かる形態であれば良く、典型的には角隅を切落としただけである。
従って、着座域Ｚ上に、隙間無く敷設した珪藻土タイル８群のコーナー部が切欠Ｃｄを備えたダミータイルＤ８であるため、タイル８群のメンテナンス交換時には、ダミータイルＤ８の切欠Ｃｄに指を掛けてダミータイルＤ８を剥がすことにより、剛直で重量のある珪藻土タイル８も順次１つずつ容易に取り剥がせ、珪藻土タイル８群の着脱作業が容易となる。
【００１５】
また、本発明の珪藻土タイル８は、図５に示す如く、薄金属板から成る箱体７ａと板体７ｂとで、軽量、且つ剛性を備えたコア板７ｃを内封した補強板７の上面に、珪藻土タイル板８ａを層着したものが好ましい。
この場合、コア板７ｃとしては木板を採用すれば、重量の増大を抑え、補強板７に、必要剛性と、取扱い易い厚みが付与出来る。
本発明の珪藻土タイル板８ａは、北海道旭川市の鈴木産業（株）が「豊ヘルス（商品名）」として販売している、稚内層珪藻頁岩を焼成した調湿・消臭タイルであり、多孔質構造であるため、比重が小（約０．５）で強度が小さく、岩盤浴の如き、石の上に人体を横たえる利用には不向きな石材である。
本発明にあっては、強度の小さい珪藻土タイル板８ａを剛性の大な補強板７で裏打ち積層して、タイル８として用いるため、珪藻土タイル８としての、取扱い上必要な、重量、剛性が確保出来、岩盤浴装置用タイルとしての取扱いが可能となる。
【００１６】
この場合、補強板７は、典型的には、剛性付与材としての木材板をコア材として内封した、ステンレス金属箱である。
従って、１枚の珪藻土タイル８は、軽量且つ剛性の大な補強板７の適切な利用によって、大きさが、取扱い容易な１５０〜２１０mmの正方形で、重さが、載置敷設に必要な１〜１．５kgと出来る。
そのため、遠赤外線放射機能には優れながら、岩盤浴用石材として不適当な珪藻土の焼成タイル板が、吸放湿性に優れた岩盤浴用床材として採用可能となり、優れた岩盤浴効果を奏し、吸放湿機能によって衛生環境の維持出来る、且つメンテナンスの容易な岩盤浴装置の提供が可能となる。
【００１７】
また、珪藻土タイル８は、図５（Ａ）に示す如く、補強板７の上面と、珪藻土タイル板８ａ下面とをブチルゴム固着剤で弾性接着するのが好ましい。
この場合、珪藻土タイル板８ａと金属製の補強板７とは線膨張率が異なるが、接着層がブチルゴムによる弾性接着層であるため、珪藻土タイル板８ａと金属製の補強板７との膨張差をブチルゴム層が吸収し、珪藻土タイル板８ａにクラックを生ずることは無く、且つ、ブチルゴムａｄ層が補強板７との界面を完全に止水し、吸水した珪藻土タイル板８ａによる補強板７の腐蝕を防止する。
従って、珪藻土タイル８は、珪藻土タイル板８ａが、吸放湿性が大で、剛性が低いものであるが、岩盤浴用タイルとしての必要強度を保持し、耐久性を有するタイルとなる。
【００１８】
また、珪藻土タイル８は、大きさが１５０〜２１０mm正方形であり、重さが１〜１．５kgであるのが好ましい。
珪藻土タイル８は、図１に示す如く、金属板５上の着座域Ｚ上に、単に隙間無く載置敷設するものであり、タイル８の交換や、金属板５の下面の熱源４のメンテナンスに際しては、人手で取り剥がし、持ち運ぶものである。
従って、タイル８の１枚の大きさが、一辺１５０〜２１０mmの正方形であれば、岩盤浴装置の着座域Ｚのサイズの変更、例えば縦方向の、３列敷設→４列敷設等の変更にも対応しやすく、且つ、重量が１枚当り１〜１．５kgであれば、人手による取扱いも容易となる。
【００１９】
また、本発明にあっては、断熱パネル２は、木材の、周側板２ａ，２ｂ、上蓋板２ｃ、下蓋板２ｄで箱型パネルに形成し、箱型パネル内に合成樹脂を注入発泡させるのが好ましい。
従って、断熱パネル２は、箱体内への発泡合成樹脂材の注入発泡によって所定形状の断熱パネルの形成が容易であって、熱源４からの下方への熱損失を阻止する本来の機能と共に、周側板がフレーム１への取付構造を提供し、上蓋板２ｃが熱源４の載置台を提供し、フレーム１への嵌合固定によって、組立て容易な構造でありながら、強固な台座Ａの提供を可能とする。
【発明の効果】
【００２０】
本発明によれば、珪藻土タイル８は、多孔質構造による優れた調湿機能（湿度が６０％以上になると急速に吸湿し、湿度が下がると放湿する吸放湿機能）を備えているため、岩盤浴での温浴による身体からの発汗によって、床表面、即ち珪藻土タイル表面、が濡れても、床表面（珪藻土タイル表面）が水分を吸収し、温浴終了後自然に放湿するため、床表面は常に乾燥状態が維持出来、カビの発生の抑制出来る、衛生的な岩盤浴装置となる。
【００２１】
そして、珪藻土タイル８の多孔質構造による吸放湿機能を維持するためには、珪藻土タイル８の定期的清掃が必要であるが、珪藻土タイル８群は、単に、タイル８を加熱する金属板上に載置敷設しているだけであるので、珪藻土タイル８群のメンテナンスが簡便に実施出来る。
しかも、金属板５を抑えている外枠６も着脱自在であると共に、熱源４を覆う金属板５も着脱自在であるため、熱源４のメンテナンスも簡便に実施出来、遠赤外線放射体としての珪藻土タイル８のメンテナンス容易性と相俟って、衛生的で、保守管理の容易な岩盤浴装置を提供する。
【発明を実施するための最良の形態】
【００２２】
本発明の岩盤浴装置は、図１（Ａ）に示す如く、テーブルタイプの台座Ａを準備し、台座Ａの上面には、四周を囲む上面枠Ｆ３を固定し、上面枠Ｆ３内には、熱源４としての面状発熱ヒーターを載置し、熱源上面には金属板５を上面枠Ｆ３に着脱自在に止着し、金属板５の長手方向両側縁上面に外枠６を着脱自在に止着して、金属板５上面の外枠６で囲まれた範囲を着座域Ｚとし、該着座域Ｚ上に、遠赤外線放射用の珪藻土タイル８を隙間無く載置敷設するものであり、以下、１人浴用の岩盤浴装置の製作及び使用に就いて、図面に基づいて詳述する。
【００２３】
〔台座Ａの準備（図２）〕
図２（Ａ）は、台座Ａの幅方向縦断側面図であり、図２（Ｂ）は、フレーム１と断熱パネル２の分解斜視図であり、図２（Ｃ）は、断熱パネル２の分解斜視図である。
フレーム１は木材製であって、図２（Ｂ）に示す如く、縦材１ａと横材１ｂと脚１Ｐとを剛構造一体化したものであり、断面６０mm×６０mmで長さ３７５mmの脚１Ｐを、断面４５mm×１０５mmで長さ８８０mmの横材１ｂの両側に固定して、横材１ｂの両側端に脚１Ｐを固定した門型フレーム材の一対を横フレーム材Ｆｂとして準備する。
【００２４】
そして、図２（Ｂ）に示す如く、長手方向の両端の横フレーム材Ｆｂに対して、断面形状が横材１ｂと同一の、厚さ４５mm、幅１０５mmで、長さが１８４０mmの縦材１ａを、慣用の接続用金具（図示せず）でねじ固定してフレーム１を準備する。
また、フレーム１に於いて、図２（Ｂ）に示す如く、両側の縦材１ａ間には、長さ方向中間にも、横材１ｂを補強用に固定しておく。
また、縦材１ａ及び横材１ｂの内面には、断熱パネル２嵌着用の添木１ａ´を固定してフレーム１を準備する。
【００２５】
断熱パネル２は、図２（Ｂ）に示す如く、フレーム１の、中間横材１ｂで仕切られた両側の空間内に嵌合止着するものであって、図２（Ｃ）は断熱パネルの分解斜視図である。
即ち、断熱パネル２は、図２（Ｃ）の如く、縦側板２ａと横側板２ｂで形成した木枠の底面には底板２ｄを固定し、上面には上蓋板２ｃを張設して、木材板の箱型パネルを形成し、該箱型パネル内にウレタン樹脂を注入発泡させる。
【００２６】
尚、この場合、箱型パネルの中間部には中間補強板２ｂ´を配置しておくと、十分な強度を備えた断熱パネル２が準備出来る。
そして、台座Ａは、図２（Ｂ）の如く、予め準備したフレーム１に、別途準備した断熱パネル２の２枚を、それぞれ横材１ｂ間に嵌合止着すれば、図２（Ａ）に示す如く、断熱パネル２の上蓋板２ｃがフレーム１の上面と面一に形成出来、断熱パネル２が面一の上面Ｓ１を備えた台座となる。
【００２７】
〔着座域Ｚの準備（図３、図４）〕
着座域Ｚは、加熱により遠赤外線を放射する珪藻土タイル８を載置する平坦加熱面であり、図３は台座Ａ上に金属板を載置する説明図であって、図３（Ａ）は横方向縦断面図、図３（Ｂ）は分解斜視図である。
台座Ａの上面には、両側に縦枠材３ａ（標準：１５mm×４５mm）を木ねじ（図示せず）で固定し、長手方向両端には横枠材３ｂ（標準：１５mm×４５mm）を縦枠材３ａに当接形態で、且つ、外枠を兼ねるように、幅を立てて止着し、幅を横にした縦枠材３ａと幅を立てた横枠材３ｂとで、台座Ａ上の外周に上面枠Ｆ３を配置する。
この場合、一方の横枠材３ｂ内側面には、熱源収納枠４ｆを付設しておく。
【００２８】
そして、台座Ａの上面Ｓ１上の、上面枠Ｆ３で囲まれたスペースには、それ自体は慣用の、下面に過昇温防止器及び温度ヒューズを備えた、１mm厚の電気式面状発熱ヒーターを熱源４として採用し、熱源４を熱源収納枠４ｆと接続配置する。
次いで、図３（Ａ）の如く、熱伝導率が高く、水で腐蝕しないステンレス板で１mm厚の金属板５を、熱源４を覆う形態で上面枠Ｆ３に着脱自在に止着する。
この場合、木材の縦枠材３ａ側には、インサートナットを配置する慣用のジョイントシステムＪｓでねじ螺着すれば、反復着脱に耐えられる。
【００２９】
図４は、金属板５上への外枠６の配置説明図であって、図４（Ａ）は横方向縦断面図、図４（Ｂ）は分解斜視図、図４（Ｃ）は外枠６の取付構造説明図である。
即ち、図４（Ｂ）に示す如く、床の長手方向両端の、外枠を兼ねるように取付けた横枠材３ｂ間に、両側外枠６を金属板５の両側縁を抑えるように配置し、図４（Ｃ）に示す如く、外枠６に埋設したインサートナットｎ３への、横枠材３ｂのねじ孔ｈ３を介した取付用ねじｂ３によるジョイントシステムＪｓで、上面枠Ｆ３の横枠材３ｂに着脱自在に止着する。
従って、図４（Ａ）に示す如く、金属板５の上面の、両側の外枠６、及び長手方向前後の横枠材３ｂで囲まれた金属板露出域は着座域Ｚとなる。
尚、外枠６上の符号６０は温度調節器である。
【００３０】
〔珪藻土タイルの準備（図５）〕
図５（Ａ）は珪藻土タイル８の断面図であり、図５（Ｂ）は珪藻土タイルの分解斜視図である。
珪藻土タイル８は、図５（Ａ）に示す如く、珪藻土タイル板８ａと、補強板７との層着体である。
珪藻土タイル板８ａは、北海道旭川市の鈴木産業株式会社が豊ヘルス（商品名）として販売している、稚内珪藻調湿、消臭タイルを採用する。
該豊ヘルス（商品名）は、内装壁材の調湿タイルであって、全く剛性が無く、人体の荷重で簡単に割れるため、補強する必要があり、且つ、載置状態で使用可能な重量も必要であるため、本発明にあっては、珪藻土タイル板８ａとして厚さ１０mm、一辺が２１０mmの正方形で準備し、補強板７として、厚さ１mmの金属板の箱体７ａと、底板としての１mm厚の金属板７ｂとで、厚さ５．５mmの木板を剛性付与コア板として内封した、一辺が２１０mmの正方形平面形状で準備する。
次いで、補強板７の上面と珪藻土タイル板８ａとを、ブチルゴム固着剤ａｄで層着一体化して、珪藻土タイル８とする。
【００３１】
〔ダミータイル（図１）〕
ダミータイルＤ８は、珪藻土タイル８の取換えに際して、取り剥がし口を形成するためのものであって、珪藻土タイル８と形状同一で、質感の似たものである。
従って、ダミータイルＤ８は、架橋発泡ポリエチレンで、珪藻土タイル８と、同厚、同一大きさとし、１つの角隅のみに、切落としによる切欠Ｃｄを、人の手指が２本掛かる程度に形成しておく。
また、ダミータイルＤ８の色彩も、珪藻土タイル８と識別可能とすれば、敷設交換の作業性が向上する。
【００３２】
〔岩盤浴装置の使用（図６）〕
図６（Ａ）は岩盤浴装置の全体斜視図であり、図６（Ｂ）は使用状態平面図である。
岩盤浴装置は、図６（Ａ）に示す如く、珪藻土タイル８を、加熱する金属板５の着座域Ｚ上に隙間無く載置し、コーナー部にだけダミータイルＤ８を配置しておく。
そして、図６（Ｂ）の如く、利用者Ｍが装置上に横たわり、調節器６０での調節の下に、熱源４を５０〜６０℃に設定して金属板５を加熱し、金属板５からの加熱によって、珪藻土タイル８は４０〜４２℃に温められ、珪藻土タイル８からの遠赤外線の放射によって、利用者は身体の全体が温められて発汗する
しかし、珪藻土タイル８は、湿度６０％以上で急速に吸湿し、湿度が下がれば放湿する吸放湿機能を有するため、発汗による床面の濡れはタイル８に吸収され、利用者の不快感（ベタツキ）は最小限に抑制出来、温浴終了後は、岩盤浴装置の床面は、タイル８の放湿作用（調湿作用）によって乾燥状態となる。
【００３３】
従って、岩盤浴装置は、従来の岩盤浴装置で必須であった、利用者の温浴終了毎の、再使用のための清掃メンテナンス、が不要となる。
そして、定期的な岩盤浴装置のメンテナンスに際しては、珪藻土タイル８の取り剥がしは、着座域Ｚのコーナー部のダミータイルＤ８の取り剥がしで取り剥がし口が出来ることと、珪藻土タイル８自体の、大きさ及び重さ、が取扱い易いこととが相俟って容易となり、必要に応じて、外枠６の取り外しによって金属板５も取り外せ、熱源４の加熱システムのメンテナンスも簡便に実施出来、必要な保守管理は、簡便に実施出来る。
【図面の簡単な説明】
【００３４】
【図１】本発明装置の説明図であって、（Ａ）は幅方向縦断面図、（Ｂ）は分解斜視図である。
【図２】台座の説明図であって、（Ａ）は台座の幅方向縦断面図、（Ｂ）は台座の分解斜視図、（Ｃ）は断熱パネルの分解斜視図である。
【図３】製作説明図であって、（Ａ）は、金属板をセットした状態の幅方向縦断面図、（Ｂ）は（Ａ）の分解斜視図である。
【図４】本発明の着座域形成状態の説明図であって、（Ａ）は幅方向の縦断面図、（Ｂ）は分解斜視図、（Ｃ）は取付構造説明斜視図である。
【図５】珪藻土タイルの説明図であって、（Ａ）は縦断面図、（Ｂ）は分解斜視図である。
【図６】本発明の使用説明図であって、（Ａ）は装置の全体斜視図、（Ｂ）は使用平面図である。
【図７】従来例１の説明図であって、（Ａ）は、構造断面図、（Ｂ）は温水配管図である。
【図８】従来例２の説明図であって、（Ａ）は装置平面図、（Ｂ）は天照板ユニット斜視図、（Ｃ）は天照板ユニットの製作図である。
【符号の説明】
【００３５】
１      フレーム
１ａ    縦材
１ｂ    横材
１ａ´，１ｂ´  添木
１Ｐ    脚
２      断熱パネル
２ａ    縦側板（周側板）
２ｂ    横側板（周側板）
２ｂ´  中間補強板
２ｃ    上蓋板
２ｄ    底板（下蓋板）
２ｅ    発泡樹脂
３ａ    縦枠材
３ｂ    横枠材
４      熱源（面状ヒーター）
４ｆ    熱源収納枠
５      金属板
６      外枠
６０    温度調節器（調節器）
７      補強板
７ａ    箱体
７ｂ    板体（金属板）
７ｃ    コア板（コア層）
８      珪藻土タイル
８ａ    珪藻土タイル板
Ａ      台座
ａｄ    ブチルゴム固着剤
Ｃｄ    切欠
Ｄ８    ダミータイル
Ｆ３    上面枠
Ｆｂ    横フレーム材
Ｊｓ    ジョイントシステム
Ｍ      利用者
Ｓ１    台座上面
Ｚ      着座域
【図１】
2009095445.tif 000003
【図２】
2009095445.tif 000004
【図３】
2009095445.tif 000005
【図４】
2009095445.tif 000006
【図５】
2009095445.tif 000007
【図６】
2009095445.tif 000008
【図７】
2009095445.tif 000009
【図８】
2009095445.tif 000010